【手続補正書】
【提出日】平成19年8月15日(2007.8.15)
【手続補正１】
【補正対象書類名】特許請求の範囲
【補正対象項目名】全文
【補正方法】変更
【補正の内容】
【特許請求の範囲】
【請求項１】
マルチメディアデータを表示する方法であって： 再生するためのアセットを検査する段階と； 前記アセットを再生するために必要とされる参照情報を抽出する段階と； 前記アセットを再生するための時間についての情報を含むメタデータに基づく前記抽出された参照情報を使って、前記アセットを表示する段階とを有する、方法。
【請求項２】
再生するためのアセットが、一つまたは複数のオーディオデータおよび一つまたは複数の画像データを含む、請求項１記載の方法。
【請求項３】
前記メタデータが、前記一つまたは複数のオーディオデータが提供されている間に前記一つまたは複数の画像データが表示される時間を示す時間についての情報を含む、請求項２記載の方法。
【請求項４】
前記メタデータが、前記アセットの属性についての情報をさらに含む、請求項３記載の方法。
【請求項５】
再生するためのアセットが、オーディオデータの部分を含む、請求項１記載の方法。
【請求項６】
前記メタデータが、前記オーディオデータの部分についての、前記オーディオデータが再生される時間に関する再生情報を含む、請求項５記載の方法。
【請求項７】
時間に関する前記再生情報が、前記オーディオデータを再生する開始時刻を示す時間情報、前記オーディオデータが再生される時間を示す時間情報、前記オーディオデータの再生が終了される停止時刻を示す時間情報、あるいは前記時間情報のうち二つ以上の組み合わせを含む、請求項６記載の方法。
【請求項８】
前記メタデータが、前記アセットの属性についての情報をさらに含む、請求項５記載の方法。
【請求項９】
再生するためのアセットが、ビデオデータの部分を含む、請求項１記載の方法。
【請求項１０】
前記メタデータが、前記ビデオデータの部分についての、前記ビデオデータが再生される時間に関する再生情報を含む、請求項９記載の方法。
【請求項１１】
時間に関する前記再生情報が、前記ビデオデータを再生する開始時刻を示す時間情報、前記ビデオデータが再生される時間を示す時間情報、前記ビデオデータの再生が終了される停止時刻を示す時間情報、あるいは前記時間情報のうち二つ以上の組み合わせを含む、請求項１０記載の方法。
【請求項１２】
前記メタデータが、前記アセットの属性についての情報をさらに含む、請求項９記載の方法。
【請求項１３】
前記メタデータがマークアップ言語によって表現される、請求項１記載の方法。
【請求項１４】
前記マークアップ言語がミュージックフォトビデオ（ＭＰＶ）フォーマットに従って記述される、請求項１３記載の方法。
【請求項１５】
前記参照情報が、前記アセットを識別するための識別情報を参照する、請求項１記載の方法。
【請求項１６】
マルチメディアデータを表示する方法であって： 再生のために必要とされるアセットを参照するための参照情報および該アセットを再生するための再生情報を含むメタデータを生成する段階と； 前記生成されたメタデータを使って前記アセットを表示する段階とを有しており； 前記アセットは、前記参照情報に対応するアセットを使うことによって表示される、方法。
【請求項１７】
前記参照情報および前記再生情報がスキーマによって定義されるエレメントの形により表現される、請求項１６記載の方法。
【請求項１８】
前記メタデータがマークアップ言語によって表現される、請求項１６記載の方法。
【請求項１９】
前記マークアップ言語がミュージックフォトビデオ（ＭＰＶ）フォーマットに従って記述される、請求項１８記載の方法。
【請求項２０】
前記参照情報が、前記アセットを識別するための識別情報を参照する、請求項１６記載の方法。
【請求項２１】
前記表示のためのアセットが、一つまたは複数のオーディオデータおよび一つまたは複数の画像データを含む、請求項１６記載の方法。
【請求項２２】
前記参照情報および前記再生情報がスキーマによって定義されるエレメントの形により表現される、請求項２１記載の方法。
【請求項２３】
前記エレメントの名称が‘ＡｕｄｉｏＷｉｔｈＳｔｉｌｌ’である、請求項２２記載の方法。
【請求項２４】
前記再生情報が、前記一つまたは複数のオーディオデータが提供されている間に前記一つまたは複数の画像データが表示される時間を示す時間についての情報を含む、請求項２１記載の方法。
【請求項２５】
前記メタデータが、前記アセットの属性についての情報をさらに含む、請求項２４記載の方法。
【請求項２６】
再生するためのアセットが、オーディオデータの部分を含む、請求項１６記載の方法。
【請求項２７】
前記参照情報および前記再生情報がスキーマによって定義されるエレメントの形により表現される、請求項２５記載の方法。
【請求項２８】
前記エレメントの名称が‘ＡｕｄｉｏＰａｒｔ’である、請求項２７記載の方法。
【請求項２９】
前記再生情報が、前記オーディオデータの部分についての、前記オーディオデータが再生される時間に関する再生情報を含む、請求項２６記載の方法。
【請求項３０】
時間に関する前記再生情報が、前記オーディオデータを再生する開始時刻を示す時間情報、前記オーディオデータが再生される時間を示す時間情報、前記オーディオデータの再生が終了される停止時刻を示す時間情報、あるいは前記時間情報のうち二つ以上の組み合わせを含む、請求項２９記載の方法。
【請求項３１】
前記メタデータが、前記アセットの属性についての情報をさらに含む、請求項２９記載の方法。
【請求項３２】
再生するためのアセットが、ビデオデータの部分を含む、請求項１６記載の方法。
【請求項３３】
前記参照情報および前記再生情報がスキーマによって定義されるエレメントの形により表現される、請求項３２記載の方法。
【請求項３４】
前記エレメントの名称が‘ＶｉｄｅｏＰａｒｔ’である、請求項３３記載の方法。
【請求項３５】
前記再生情報が、前記ビデオデータの部分についての、前記ビデオデータが再生される時間に関する再生情報を含む、請求項３２記載の方法。
【請求項３６】
時間に関する前記再生情報が、前記ビデオデータを再生する開始時刻を示す時間情報、前記ビデオデータが再生される時間を示す時間情報、前記ビデオデータの再生が終了される停止時刻を示す時間情報、あるいは前記時間情報のうち二つ以上の組み合わせを含む、請求項３５記載の方法。
【請求項３７】
前記メタデータが、前記アセットの属性についての情報をさらに含む、請求項３５記載の方法。
【請求項３８】
マルチメディアデータを表示する装置であって： プロセッサの制御下にあるメモリを有しており、該メモリは当該装置が： 再生するためのアセットを検査する段階と； 前記アセットを再生するために必要とされる参照情報を抽出する段階と； メタデータに基づく前記抽出された参照情報を使って、前記アセットを表示する段階と、を実行できるようにするソフトウェアを有する、装置。
【請求項３９】
再生するためのアセットが、一つまたは複数のオーディオデータおよび一つまたは複数の写真データを含む、請求項３８記載の装置。
【請求項４０】
再生するためのアセットが、オーディオデータの部分を含む、請求項３８記載の装置。
【請求項４１】
再生するためのアセットが、ビデオデータの部分を含む、請求項３８記載の装置。
【請求項４２】
マルチメディアデータを表示する装置であって： プロセッサの制御下にあるメモリを有しており、該メモリは当該装置が： 再生のために必要とされるアセットを参照するための参照情報および該アセットを再生するための再生情報を含むメタデータを生成する段階と； 前記生成されたメタデータを使って前記アセットを表示する段階と、を実行できるようにするソフトウェアを有しており、 前記アセットは、前記参照情報に対応するアセットを使うことによって表示される、装置。
【請求項４３】
再生するためのアセットが、一つまたは複数のオーディオデータおよび一つまたは複数の写真データを含む、請求項４２記載の装置。
【請求項４４】
再生するためのアセットが、オーディオデータの部分を含む、請求項４２記載の装置。
【請求項４５】
再生するためのアセットが、ビデオデータの部分を含む、請求項４２記載の装置。 
【手続補正２】
【補正対象書類名】明細書
【補正対象項目名】発明の名称
【補正方法】変更
【補正の内容】
【発明の名称】マルチメディアデータを表示するための装置および方法